(57)【特許請求の範囲】
【請求項１】
患部切除手術箇所外の身体部分表面に基準点を設定し、
患部切除前における身体部分表面の術前データ及び患部切除後における身体部分表面の切除後データをそれぞれ３次元計測し、
術前データと切除後データとの間で基準点を元にして座標統合を行った状態で、これら各データをスライス軸に沿って所定間隔で複数切り取り、このスライス軸に沿ってこれら各データそれぞれの身体断面の輪郭を断面形状データとして複数抽出し、
断面形状データの一端から他端までマーカ点を複数設定し、術前データと切除後データとの間での同一マーカ点間の変化量を術前後間変化量とし、断面形状データ上においてこの術前後間変化量を導出し、
スライス軸に沿った複数の線とスライス軸に対して交差する軸に沿った複数の線との間で区画された複数領域を有するグリッドマップを作成し、
術前後間変化量の値に応じて色のグラデーションを割り当ててグリッドマップ上に該当の色を配置した差分画像マップを取得すると共に、切除後データを基にしてグリッドマップを身体表面に変形して貼り付けた解剖学的マップを取得し、
解剖学的マップ上に差分画像マップを重畳する身体マップ作成方法。
【請求項２】
術前後間変化量の導出に際して、同一マーカ点間の変化量を距離とし、距離とされる術前後間変化量の値を計算して導出する請求項１に記載の身体マップ作成方法。
【請求項３】
術前後間変化量の導出に際して、同一マーカ点間の変化量を隣接する４つのマーカ点により構成される四角形の歪み量とし、四角形の歪み量とされる術前後間変化量の値を導出する請求項１に記載の身体マップ作成方法。
【請求項４】
術前後間変化量の導出に際して、術前データと切除後データとの間の比較すべき範囲を指定した上で、断面形状データをｎ枚作成すると共に、各断面形状データのマーカ点をｋ個所設定し、
ｎ×ｋ個の術前後間変化量をそれぞれ導出する請求項１〜請求項３の何れかに記載の身体マップ作成方法。
【請求項５】
グリッドマップの作成において、グリッドマップが、スライス軸に沿った複数の線とスライス軸に対して直交する軸に沿った複数の線との間で区画され、
身体の上下方向に対して垂直な身体の水平面方向に沿って断面形状データを等間隔に複数取得する請求項１〜請求項４の何れかに記載の身体マップ作成方法。
【請求項６】
差分画像マップを取得する際に、術前後間変化量の値に応じてグリッドマップ上に該当色のグラデーションを配置すると共に、術前後間変化量の値を表記する請求項１〜請求項５の何れかに記載の身体マップ作成方法。
【請求項７】
患部切除手術箇所外の身体部分表面に基準点を設定してから、患部切除前における身体部分表面の術前データ及び患部切除後における身体部分表面の切除後データをそれぞれ３次元計測して予めこれらデータを記憶装置にて保存し得るコンピュータに搭載される身体マップ作成プログラムであって、
術前データと切除後データとの間で基準点を元にして座標統合を行った状態で、これら各データをスライス軸に沿って所定間隔で複数切り取り、このスライス軸に沿ってこれら各データそれぞれの身体断面の輪郭を断面形状データとして演算装置にて複数抽出するデータ抽出ステップと、
断面形状データの一端から他端までマーカ点を複数設定し、術前データと切除後データとの間での同一マーカ点間の変化量を術前後間変化量とし、断面形状データ上においてこの術前後間変化量を演算装置にて導出する変化量導出ステップと、
スライス軸に沿った複数の線とスライス軸に対して交差する軸に沿った複数の線との間で区画された複数領域を有するグリッドマップを作成するグリッドマップ作成ステップと、
演算装置にて、術前後間変化量の値に応じて色のグラデーションを割り当ててグリッドマップ上に該当の色を配置した差分画像マップを取得すると共に、切除後データを基にしてグリッドマップを身体表面に変形して貼り付けた解剖学的マップを取得する各マップ取得ステップと、
解剖学的マップ上に差分画像マップを重畳して表示装置にて表示するマップ重畳ステップと、
を備えた身体マップ作成プログラム。
【請求項８】
変化量導出ステップにおいて、同一マーカ点間の変化量を距離とし、距離とされる術前後間変化量の値を計算して導出する請求項７に記載の身体マップ作成プログラム。
【請求項９】
変化量導出ステップにおいて、同一マーカ点間の変化量を隣接する４つのマーカ点により構成される四角形の歪み量とし、四角形の歪み量とされる術前後間変化量の値を導出する請求項７に記載の身体マップ作成プログラム。
【請求項１０】
コンピュータ読み取り可能な請求項７の身体マップ作成プログラムを記録した記録媒体。
【発明の詳細な説明】
【技術分野】
【０００１】
本発明は、患部切除前における身体部分表面の手術前の３次元データ及び患部切除後における身体部分表面の切除後の３次元データを元にして、数値化された定量的な判断資料を得ることにより、最適な再建手術を可能とした身体マップ作成方法及び身体マップ作成プログラムに関し、乳房再建手術に好適なものである。
【背景技術】
【０００２】
近年、救命等のために患部を切除する外科的手術が行われることで、平均寿命が一層延びる傾向にある。そして、患部切除後の人生における生活をより満足して送るために、切除された身体部分を再建する身体再建手術も行われることが多くなってきている。身体再建手術の内でも乳房再建手術は多くなる傾向にあり、この乳房再建手術に用いるための種々のツールが開発されている。例えば３次元的に乳房形状を扱った既存ソフトウエアとしては、メディックエンジニアリングのBreast-Rugle (販売終了)や、 米国のCanfield Scientific社製(国内販売は株式会社インテグラル)の乳房形状計測装置のVECTRAシリーズに付属するソフトウエアが挙げられる。
【０００３】
そして、これらのコンピュータプログラムとされるソフトウエアのいずれも乳房再建手術の術前シミュレーション用として開発されており、乳腺切除後に患者の上半身の立体的なデータである３Ｄデータを三次元計測器にて一旦取得し、そのデータ上で様々なインプラント材の３Ｄデータを乳房位置に配置した際の乳房形状(皮膚形状)の変形を相同モデルや有限要素解析にて予想し提示するソフトウエアとなっている。
【０００４】
しかし、いずれのソフトウエアもパソコンのディスプレイ画面上に実際の乳房の３Ｄデータを提示して様々な角度から観察することで、バーチャルに乳房形状を変形させたりすることが主眼とされていた。つまり、あくまでも仮想的な変形データを提示するソフトウエアであり、再建出術前におおよその手術シミュレーションを行うことはできても、再建出術中術後において術前乳房形状や左右反転乳房形状と、治療中の乳房形状のいずれの部分がどのように異なるのかを具体的に示すことが出来なかった。このため、形成外科医はこれらのソフトウエアを用いたとしても、乳房再建手術時には結局従来と変わらず、医師の経験と知織を元に乳房の再建をするしかなかった。
【０００５】
下記の特許文献１においても、身体の中心線である正中線を挟んで左右対称な位置にある一対の身体部分の内の一方の一部又は全部が欠損した欠損身体部分を、他方の欠損していない非欠損身体部分の形状に基づいて外観を再建している技術を単に開示しているにすぎない。
【先行技術文献】
【特許文献】
【０００６】
【特許文献１】特開２０１３−１６５８６２公報
【発明の概要】
【発明が解決しようとする課題】
【０００７】
以上より、特に乳腺切除前後の乳房形状だけでなく、身体再建手術の分野においては、実際に計測した身体形状を定量的あるいは数値的に評価することは出来なかった。これに伴い下記のような課題をも有していた。
【０００８】
まず、乳房再建等の身体再建手術において、欠損した身体部分を再建するための定量的な指標が従来は存在せず、医師の目視や記憶に頼った再建手術が行われていた。また、再建後の患者が治療結果について納得するための指標も無かった。さらに、身体形状の内の特に乳房形状は三次元的で比較的複雑な形状をもつことから、医学的にも形状評価を行うための指標が病院や医師間でバラバラであり、異なる医療組織間で共通に用いることができる指標が存在しないという臨床上の問題もあった。
【０００９】
この一方、乳房形状は、三次元かつ左右非対象な複雑な形状をしているため、乳房のどの場所がどの程度膨らみが多い、足りないといった議論は印象論や定性的議論になりがちである。さらに、乳房の形状のボリュームは患者によって非常に様々であり、例えば「上半分の膨らみ、下半分のカーブ」といってもその指標が明瞭な乳房とそうでない乳房が存在していた。
【００１０】
本発明は上記背景に鑑みてなされたもので、患部切除前における身体部分表面の手術前の３次元データ及び患部切除後における身体部分表面の切除後の３次元データを元にして、数値化された定量的な判断資料を得ることにより、最適な再建手術を可能とした身体マップ作成方法、身体マップ作成プログラム及びその記録媒体を提供することを目的とする。
【課題を解決するための手段】
【００１１】
上記課題を解決した請求項１記載の発明は、患部切除手術箇所外の身体部分表面に基準点を設定し、
患部切除前における身体部分表面の術前データ及び患部切除後における身体部分表面の切除後データをそれぞれ３次元計測し、
術前データと切除後データとの間で基準点を元にして座標統合を行った状態で、これら各データをスライス軸に沿って所定間隔で複数切り取り、このスライス軸に沿ってこれら各データそれぞれの身体断面の輪郭を断面形状データとして複数抽出し、
断面形状データの一端から他端までマーカ点を複数設定し、術前データと切除後データとの間での同一マーカ点間の変化量を術前後間変化量とし、断面形状データ上においてこの術前後間変化量を導出し、
スライス軸に沿った複数の線とスライス軸に対して交差する軸に沿った複数の線との間で区画された複数領域を有するグリッドマップを作成し、
術前後間変化量の値に応じて色のグラデーションを割り当ててグリッドマップ上に該当の色を配置した差分画像マップを取得すると共に、切除後データを基にしてグリッドマップを身体表面に変形して貼り付けた解剖学的マップを取得し、
解剖学的マップ上に差分画像マップを重畳する身体マップ作成方法である。
【００１２】
請求項１の発明のような身体マップ作成方法によれば、患部切除前における身体部分表面の術前データ及び患部切除後における身体部分表面の切除後データをそれぞれ３次元計測し、患部切除手術箇所外の身体部分表面に設定された基準点を元にして術前データと切除後データとの間で座標統合を行う。この座標統合を行った状態で、これら各データをスライス軸に沿って所定間隔で複数切り取ることで、身体断面の輪郭を断面形状データとして複数抽出する。
【００１３】
また、断面形状データの一端から他端までマーカ点を複数設定し、術前データと切除後データとの間での同一マーカ点間の術前後間変化量を断面形状データ上において導出する。
この後、スライス軸に沿った複数の線とスライス軸に対して交差する軸に沿った複数の線との間で区画された複数領域を有するグリッドマップを作成する。そして、術前後間変化量の値に応じて色のグラデーションを割り当てて、グリッドマップ上に該当の色を配置した差分画像マップを取得すると共に、切除後データを基にしてグリッドマップを身体表面に変形して貼り付けた解剖学的マップを取得する。
【００１４】
他方、この解剖学的マップ上に差分画像マップを重畳することで、患部切除手術前後の身体形状の差が、身体のいずれの部分にどの程度生じているかを解剖学的に提示可能となる。
つまり、本発明は仮想的なデータを提示したり、例えば乳房形状の局所に名称を付与して曲率や長さを指標に用いたりするものではなく、あくまで乳腺切除手術前の３次元計測データ、もしくは切除されておらず残されたもう一方の乳房形状を左右反転した３次元計測データとの差分を定量的かつ分かり易く表示するものである。このことで、実際に計測した身体部分表面の形状データを基にして変化量を表すものである。例えば、乳房形状の各部分がどの程度大きくあるいは小さいかを数値で表すものである。
【００１５】
以上に伴い、本発明により提示される数値情報により、再建手術中の例えば乳房形状を医師が修正し易くなり、より理想的な形状に近づけることが可能となる。つまり、本発明は、切除手術前、切除手術後或いは再建手術中それぞれに計測した乳癌患者の乳房形状の３次元計測データを元に、切除手術前後や切除手術前と再建手術中の間における乳房のボリュームや形状の差を正確かつ明確に数値で二次元画像上に示すことが出来る。
【００１６】
請求項２の発明は、術前後間変化量の導出に際して、同一マーカ点間の変化量を距離とし、距離とされる術前後間変化量の値を計算して導出することを特徴とする請求項１に記載の身体マップ作成方法である。
このように同一マーカ点間の変化量を距離とし、計算により術前後間変化量の値を導出することにより、患部切除手術前後の身体形状の寸法的な相違が確実かつ容易に理解できるようになる。
【００１７】
請求項３の発明は、術前後間変化量の導出に際して、同一マーカ点間の変化量を隣接する４つのマーカ点により構成される四角形の歪み量とし、四角形の歪み量とされる術前後間変化量の値を導出することを特徴とする請求項１に記載の身体マップ作成方法である。
このように同一マーカ点間の変化量を隣接する４つのマーカ点により構成される四角形の歪み量とし、術前後間変化量の値を導出することにより、患部切除手術前後の身体形状の形状的な相違が確実かつ容易に理解できるようになる。
【００１８】
請求項４の発明は、術前後間変化量の導出に際して、術前データと切除後データとの間の比較すべき範囲を指定した上で、断面形状データをｎ枚作成すると共に、各断面形状データのマーカ点をｋ個所設定し、
ｎ×ｋ個の術前後間変化量をそれぞれ導出することを特徴とする請求項１〜請求項３の何れかに記載の身体マップ作成方法である。
このように断面形状データの枚数及び各断面形状データのマーカ点の数を予め具体的に設定可能とすることで、再建手術の用途や場合に合わせて最適なデータ数での表示が可能となる。
【００１９】
請求項５の発明は、グリッドマップの作成において、グリッドマップが、スライス軸に沿った複数の線とスライス軸に対して直交する軸に沿った複数の線との間で区画され、
身体の上下方向に対して垂直な身体の水平面方向に沿って断面形状データを等間隔に複数取得することを特徴とする請求項１〜請求項４の何れかに記載の身体マップ作成方法である。
このようにすることで、グリッドマップが相互に直交する２軸沿った複数の線により区画された複数の領域とすることで、一区画が正方形或いは長方形となり、最適な形状かつ見やすい区画が複数並んだ形になる。また、身体の頭側から足側に向かって例えば乳房形状のデータが順次等間隔に複数得られるようにもなる。このように身体の頭側から順次最適な間隔を予め設定することによって、切除手術された患部周辺の形状変化の把握が容易ともなる。
【００２０】
請求項６の発明は、差分画像マップを取得する際に、術前後間変化量の値に応じて、グリッドマップ上に該当色のグラデーションを配置すると共に、術前後間変化量の値を表記することを特徴とする請求項１〜請求項５の何れかに記載の身体マップ作成方法である。
このように差分画像マップにおいて、術前後間距離の値に応じてグリッドマップ上に色のグラデーションを配置するだけでなく、術前後間距離の値自体を表記することで、再建手術の際に術前後間距離の値をより正確に理解し易くなる。
【００２１】
請求項７の発明のような身体マップ作成プログラムは、患部切除手術箇所外の身体部分表面に基準点を設定してから、患部切除前における身体部分表面の術前データ及び患部切除後における身体部分表面の切除後データをそれぞれ３次元計測して予めこれらデータを記憶装置にて保存し得るコンピュータに搭載されるプログラムである。
まず、データ抽出ステップにおいて、術前データと切除後データとの間で基準点を元にして座標統合を行った状態で、これら各データをスライス軸に沿って所定間隔で複数切り取り、このスライス軸に沿ってこれら各データそれぞれの身体断面の輪郭を断面形状データとして演算装置にて複数抽出する。
次に、変化量導出ステップにおいて、断面形状データの一端から他端までマーカ点を複数設定し、術前データと切除後データとの間での同一マーカ点間の変化量を術前後間変化量とし、断面形状データ上においてこの術前後間変化量を演算装置にて導出する。
この後、グリッドマップ作成ステップにおいて、スライス軸に沿った複数の線とスライス軸に対して交差する軸に沿った複数の線との間で区画された複数領域を有するグリッドマップを作成する。
次に、各マップ取得ステップにおいて、演算装置にて、術前後間変化量の値に応じて色のグラデーションを割り当ててグリッドマップ上に該当の色を配置した差分画像マップを取得すると共に、切除後データを基にしてグリッドマップを身体表面に変形して貼り付けた解剖学的マップを取得し、最後にマップ重畳ステップにおいて、解剖学的マップ上に差分画像マップを重畳して表示装置にて表示する。
【００２２】
以上に伴い本発明は、請求項１の発明と同様に、提示される数値情報により、再建手術中の例えば乳房形状を医師が修正し易くなり、より理想的な形状に近づけることが可能となる。これに伴って、本発明は請求項１と同様に、切除手術前、切除手術後或いは再建手術中それぞれに計測した乳癌患者の乳房形状の３次元計測データを元に、切除手術前後や切除手術前と再建手術中の間における乳房のボリュームや形状の差を正確かつ明確に数値で二次元画像上に示すことが出来る。
【００２３】
請求項８の発明は、請求項２の発明と同様に、同一マーカ点間の変化量を距離とし、計算により術前後間変化量の値を導出することにより、患部切除手術前後の身体形状の寸法的な相違が確実かつ容易に理解できるようになる。
【００２４】
請求項９の発明は、請求項３の発明と同様に、同一マーカ点間の変化量を隣接する４つのマーカ点により構成される四角形の歪み量とし、術前後間変化量の値を導出することにより、患部切除手術前後の身体形状の形状的な相違が確実かつ容易に理解できるようになる。
【００２５】
請求項１０の発明は、コンピュータ読み取り可能な請求項７の身体マップ作成プログラムを記録した記録媒体とされる。
【発明の効果】
【００２６】
本発明の身体マップ作成方法、身体マップ作成プログラム及びその記録媒体によれば、解剖学的マップ上に差分画像マップを重畳することで、患部切除手術前後の身体形状の差が、身体のいずれの部分にどの程度生じているかを提示可能となる。これに伴い、本発明が提示する数値情報により、再建手術中の例えば乳房形状を医師が修正し易くなり、より理想的な形状に近づけることが可能となる。
【図面の簡単な説明】
【００２７】
【図１】本発明の実施形態に適用される３次元計測装置の斜視図である。
【図２】本発明の実施形態に適用されるパソコンのブロック図である。
【図３】本発明の実施形態に適用される３次元計測装置の別の斜視図である。
【図４】本発明の一実施形態に係る身体マップ作成手順を示すフローチャートである。
【図５】本発明の一実施形態に係る患者の手術前後を比較する図である。
【図６】本発明の一実施形態に係る患者の手術前後を比較する図であって、スライスの状態を表す。
【図７】本発明の一実施形態に係る患者の手術前後のデータの統合を表す斜視概念図である。
【図８】本発明の一実施形態に係る断面形状データからグリッドマップの作成を表す概念図である。
【図９】本発明の一実施形態に係るグリッドマップ上に術前後間変化量の距離の値及びこの値に割り当てられた色のグラデーションを表す概念図である。
【図１０】本発明の一実施形態に係る差分画像マップを表す概念図である。
【図１１】本発明の一実施形態に係る解剖学的マップを乳房に直接投影して身体表面に変形して貼り付けた状態を示す写真である。
【図１２】本発明の変形例に係る身体マップ作成手順を示すフローチャートである。
【図１３】本発明の変形例に係るスライス面とマーカ点との関係を表す概念図である。
【図１４】本発明の変形例に係る乳腺切除前グリッドと再建手術中グリッドとの関係を表す概念図である。
【発明を実施するための形態】
【００２８】
以下、本発明に係る身体マップ作成方法、身体マップ作成プログラム及びその記録媒体の一実施形態を、図面を参照しつつ詳細に説明する。本実施形態は、図１に示すような３次元計測装置１０により、まず患者Ｋの身体部分表面の３次元計測データを取得する。
【００２９】
具体的には半径Ｒが例えば５００ｍｍ程度の円形に敷設されたレール１６上を、キャスタ１８を有した台車２０が図示しないモータ等の駆動源を作動する図２に示すパソコン１４の指示により自動的に矢印方向に沿って移動する。この台車２０上には、レーザ等を用いて非接触で計測するｋｉｎｅｃｔ等の計測装置本体１２が搭載されており、レール１６内の中心位置に被写体である患者Ｋが腰掛ける図示しないいすが設置されている。このため、患者Ｋを中心に計測装置本体１２が回転して患者Ｋの上半身の身体部分表面の立体データである３次元計測データが取得されるようになる。
【００３０】
また、前述のパーソナルコンピュータであるパソコン１４はレール１６外に配置されていて、計測装置本体１２に設置された図示しないアンテナからこのパソコン１４内のアンテナ４４に無線で３次元計測データが送られるようになっている。但し、パソコン１４と計測装置本体１２との間は有線で接続しても良く、これらパソコン１４と計測装置本体１２とを一体化しても良い。そして、このパソコン１４内に３次元計測データを保存して蓄積するだけでなく、このパソコン１４内に搭載されているデータ処理用のソフトウエアとされる身体マップ作成プログラムがこの３次元計測データを処理する。
【００３１】
次に、本実施形態で用いられるパソコン１４について具体的に説明する。
図２に示すように、このパソコン１４は、ＣＰＵ３０、ＲＡＭ３２、記憶部３４、入力部３６、表示部３８、出力部４０、入力操作部４２、アンテナ４４及びこれらを接続する内部バス４６で構成されている。
【００３２】
記憶部３４は、本実施例に係るコンピュータプログラムである身体マップ作成プログラム、再建対象の身体部分の３次元計測データ、この３次元計測データに基づいて作成した断面形状データＴＤ等を記憶して保存するハードディスクスやソリッドステートドライブ（Solid State Drive）が考えられる。なお、再建対象の身体部分とは、患部とされる種々の身体部分とされるが、例えば乳癌患者であれば乳房を再建することが考えられる。
【００３３】
ＣＰＵ３０は、記憶部３４から読み出されてＲＡＭ３２に記憶されている身体マップ作成プログラムに従い、かつ各種データに基づき種々の処理を実行する演算装置である。入力部３６は、再建身体部分の３次元計測データを外部から入力するための部分であり、該入力部３６を介して、レーザ式、光学式の非接触の３次元計測装置１０で得られた３次元計測データが入力される。但し、３次元計測データとしては、ＣＴやＰＥＴ、ＭＲＩで得られたデータや、接触式の３次元計測装置で得られたデータでも良い。
【００３４】
表示部３８は、ＣＲＴモニタやＬＣＤ等の表示装置から成り、記憶部３４に記憶されている身体部分の３次元計測データや作成された再建モデルの３次元計測データ等を３次元画像として表示する。出力部４０は、計測装置本体１２やプロジェクタ２２等の外部機器を接続して、この計測装置本体１２の動作指令信号を出力すると共に、プロジェクタ２２により３次元計測データを３次元画像として表示するためのものである。
【００３５】
入力操作部４２は、計測装置本体１２の動作を医師等の操作者が操作して３次元計測データを得たり、身体マップ作成プログラムの動作に必要な操作や処理に必要なデータを操作者が入力したりするための装置であり、具体的にはマウスやキーボードなどである。アンテナ４４は、計測装置本体１２等の外部機器への動作指令信号を送信すると共に、計測装置本体１２との間で無線によるデータのやりとりをし、再建身体部分の３次元計測データ等をパソコン１４内に入力するものである。内部バス４６は、上記した身体マップ作成プログラム、各種データ及び３次元計測データ等のパソコン１４内の各部間でのやり取りを可能としている。
【００３６】
この一方、３次元計測装置１０の計測装置本体１２及びパソコン１４を手術室に持ち込むことによって身体再建手術の際に患者Ｋの身体を３次元計測することもできる。図３に示すようにこのパソコン１４に、映像を投影Ｗするプロジェクタ２２及び計測装置本体１２を有線でつなぎ合わせることにより、これらを組み合わせて手術中にこのプロジェクタ２２により３次元計測データを投影Ｗすることが出来る。
【００３７】
具体的には、図３に示すように手術現場においてパソコン１４に動作を制御されつつ計測装置本体１２が支持台２４に載せられてベッド２６に寝ている患者Ｋの例えば乳房形状を３次元計測する。この３次元計測データの保存や３次元計測データの加工処理をパソコン１４が行い、プロジェクタ２２がパソコン１４から送られた画像データを投影Ｗする。
【００３８】
次に、乳癌が発見された患者Ｋの乳癌切除に伴う乳房再建のためのマップ等を作成する場合を例として、以下に身体再建手術の内容を具体的に説明する。
図４は、パソコン１４によるマップ等の作成手順を示すフローチャートであり、このフローチャートを参照しつつ、身体マップ作成方法の手順及び身体マップ作成プログラムのアルゴリズムを説明する。
【００３９】
まず、３次元計測装置１０による３次元計測に際して、予め患部切除手術箇所外の身体部分表面に基準点となるマーキングＭＫを複数設定する。この際、図５に示すように乳房が患部であるので身体の肩や腹の周辺にマーキングＭＫを設置する。そして、乳癌の患者Ｋであるので、患部切除の図５（Ａ）に「術前」で示す手術前と図５（Ｂ）に「術後」で示す手術後とでは、患部である乳房周辺の形状が変化する。このため、予め記憶部３４から身体マップ作成プログラムをＲＡＭ３２に読み出して、ＣＰＵ３０にて処理を実行するのに伴い、患部切除前後の身体部分表面の３次元計測データをこの３次元計測装置１０によりそれぞれ計測して取得する。
【００４０】
つまり、ステップＳ１にて患部である乳腺の切除前の患者の３次元計測データを計測すると共にステップＳ２にて乳腺の切除後の患者の３次元計測データを計測する。このように本実施形態では、患部切除前と患部切除後の少なくとも２回にわたり患者Ｋから身体部分表面の３次元計測データを図１に示す３次元計測装置１０により計測して取得することになる。但し、患部切除前と再建手術中の２回にわたり患者Ｋから身体部分表面の３次元計測データを計測して取得しても良く、再建手術中の３次元計測は、３次元計測装置１０を図３に示すように用いて行うことが考えられる。そして、この患部切除前における身体部分表面の３次元計測データを術前データＤＡとし、患部切除後おける身体部分表面の３次元計測データを切除後データＤＢとする。
【００４１】
次に、これら術前データＤＡと切除後データＤＢとを重ね合わせる処理をパソコン１４内のＣＰＵ３０において実行する。この重ね合わせる処理の際には、ステップＳ３にて術前データＤＡと切除後データＤＢとの間でマーキングＭＫを元にして座標統合を行う。この座標統合された状態で、これら各データをスライス軸Ｓに沿って図６に示すように数cmずつ等間隔に複数枚とされるｎ枚である例えば図６において「ＬＩＮＥ1〜ＬＩＮＥ２０」という形で表すように、２０枚等間隔でスライスして各スライス面にＳ１からＳｎまでのＩＤを付与する。
【００４２】
ここでスライス軸Ｓは任意な方向に沿って延びる形で設定できるが、本実施例ではスライス軸Ｓを身体の上下方向に沿って延びる軸とする。但し、身体の上下方向と直交する方向に沿った軸とするなど、他の方向に沿った軸としても良い。尚、このようにスライス軸Ｓが身体の上下方向に延びる軸とした場合、この方向に対して垂直な身体の水平面方向に沿った断面形状データＴＤを等間隔で複数抽出することになる。
【００４３】
さらに、ステップＳ４にてＩＤが付与された各スライス面を切り取り、各スライス面から身体断面の輪郭を断面形状データＴＤとして複数抽出する。この後、ステップＳ５にて術前データＤＡ及び切除後データＤＢの具体的に比較すべき範囲をパソコン１４の入力操作部４２より指定する。すなわち、手術前に対して比較を行いたい範囲(例えば左乳房は温存し、右乳房のみ乳腺切除をして、右乳房のみ手術前との比較評価を行いたい場合は右乳房にかかる範囲)を指定する。
【００４４】
このように比較すべき範囲を指定した上で、図７に示すように術前データＤＡ、切除後データＤＢおよび断面形状データＴＤそれぞれにおける一端から他端までマーカ点Ｐを各複数個であるｋ個ずつ設定し、これらにＩＤを付与する。例えば術前データＤＡのＩＤを１，２，３・・・ｋとし、切除後データＤＢのＩＤを１’，２’，３’・・・ｋ’とする。以上より、これらの処理をデータ抽出ステップとする。
【００４５】
そして、ステップＳ６にて図８（Ａ）に示すようにこの断面形状データＴＤを複数枚集めた状態で、各１枚のデータシートである断面形状データＴＤ内それぞれにおいて、術前データＤＡと切除後データＤＢとの間での同一マーカ点Ｐ間の距離を術前後間変化量とする。つまり、距離である術前後間変化量をこれら断面形状データＴＤ上においてＣＰＵ３０によりそれぞれ計算して数値として導出する。
【００４６】
以上より、術前データＤＡ及び切除後データＤＢからそれぞれデータをｎ枚である例えば２０枚作成すると共に各データのマーカ点Ｐをｋ個所設定し、これら２つのデータを統合して断面形状データＴＤとし、ｎ×ｋ個の術前後間変化量をそれぞれこの断面形状データＴＤ上で計算して導出することになる。そして、これを変化量導出ステップとする。
【００４７】
次に、ステップＳ７にてｎ×ｋ個の術前後間変化量が各マス目であるグリッドＧ内に入るように、スライス軸Ｓに沿って等間隔に配置した複数の線とスライス軸Ｓに対して直交する軸に沿って等間隔に配置した複数の線との間で区画された複数の領域（グリッドＧ）を有するグリッドマップＧＭを図８（Ｂ）に示す表のように作成する。これと共に術前後間変化量とされる距離の値に応じてグリッドＧ内に色のグラデーションを割り当てる。なお、このように直交する軸とする替りに、９０°以外の角度で単に交差する軸としても良い。これをグリッドマップ作成ステップとする。
【００４８】
また、色のグラデーションに関しては、距離が小さく０のときには青く（これを例えば「Ｃ１」で表す）なり、大きくなるに従い赤く（「Ｃ２〜Ｃ１０」で表す）なる。最も距離が大きい場合には真紅（これを例えば「Ｃ１０」で表す）とする。そして、ステップＳ８にてグリッドマップＧＭ上に術前後間変化量の距離の値（図９（Ａ）に示す）とこの値に応じて割り当てられた色のグラデーション（図９（Ｂ）に示す）を配置した差分画像マップＤＭを取得する。この結果として、図１０に示すようにこの差分画像マップＤＭの各マス目であるグリッドＧ内には、距離の値が数値として配置されるだけでなく、この数値に対応した色のグラデーションが割り当てられる。なお、術前後間変化量の距離の値の単位は、ｍｍである。
【００４９】
さらに、このように差分画像マップＤＭを取得するだけでなく、ステップＳ９にて切除後データＤＢを基にしてこのグリッドマップＧＭを身体表面に変形して貼り付けた解剖学的マップＫＭを取得する。具体的には、乳癌治療で癌摘出手術後の患者Ｋの乳房形状に合わせてプロジェクションマッピング投影装置等により画像処理することで、グリッドマップＧＭを変形させた解剖学的マップＫＭを作成する。さらに、ステップＳ１０にてこのグリッドマップＧＭを乳房上に直接投影して身体表面に変形して貼り付けることとする。尚、これを各マップ取得ステップとする。
【００５０】
ステップＳ１１にてこの解剖学的マップＫＭ上に差分画像マップＤＭを図１１に示すように乳房再建手術時に重畳する。これをマップ重畳ステップとする。この際、プロジェクタ２２から差分画像マップＤＭを投影Ｗする場合、患者Ｋの３次元データをプロジェクタ２２から見た姿勢や位置に見えるように、方向や視点を一旦変えてから投影Ｗする。これに伴って、術前後間変化量とされる距離の値と色のグラデーションから、医師や看護師が目視により容易に術前後間変化量を把握可能になるので、より適切な再建手術ができるようになる。
【００５１】
乳癌治療で癌摘出手術に併せて行われる以上のような乳房再建手術においては、以下のような効果が得られる。 
第１に、自家組織を乳房内に移植する場合、術前形状データや摘出しない側の乳房の左右反転データと比較して、いずれの部位がどの程度の体積差があるかを乳房再建手術中に提示可能となる。 
第２に、シリコンインプラントを乳房内に移植する場合、インプラント材移植後における数か月ごとに行う液体注入によって乳房形状を変化させることにより、術前形状や左右反転形状に近づけていく際の定量的な指標を医師や患者Ｋに提示することが可能となる。
【００５２】
さらに、本実施例に係る身体マップ作成プログラムで導出した、術前後間変化量とされる距離の値及びこの値に応じて色のグラデーションを変化させる差分画像マップＤＭを患者Ｋの乳房に直接投影して映像可能ともなる。このことで、再建手術を実際に行う際に、患者Ｋの身体表面上でボリュームや形状の確認をしながら乳房の再建を行うことが出来、パソコンのモニタ等で単に確認するよりも手術者が形状評価をより直観的に行いつつ再建手術を実施できる効果が期待できる。
【００５３】
以上より、手術前後の形状差を単に目視で行っていた従来の乳房再建手術に比べ、乳房再建手術の時間短縮化やより精度の高い再建乳房形状の構築が可能になることが期待される。また、乳房再建手術の結果に患者Ｋが納得いくための材料にもできるので、患者Ｋの満足度を高めることや患者Ｋの術後の生活の質の向上も期待される。
【００５４】
次に、本実施例の変形例として上記と異なり身体形状の歪みを術前後間変化量の指標とする場合について、以下に具体的に説明する。つまり、前記のように術前データＤＡと切除後データＤＢとの間の寸法変化の大きさを利用するのでは無く、本変形例では術前データＤＡと切除後データＤＢとの間の身体形状の歪みの大きさを利用する。
【００５５】
図１２は、パソコン１４によるマップ等の作成手順を示す変形例のフローチャートであり、このフローチャートを参照しつつ、本変形例に係る身体マップ作成方法の手順及び身体マップ作成プログラムのアルゴリズムを説明する。
ここでステップＳ１からステップＳ５までは、図４のフローチャートとほぼ同一で有り、説明を省略する。但し、患部切除後の患者の３次元計測データを計測する替わりに、ステップＳ２にて再建手術中の患者の３次元計測データを切除後データＤＢとして図３に示すように計測することとする。
【００５６】
また、切除手術前において計測された術前データＤＡを基にしてスライス軸Ｓに沿って隣り合って抽出された例えばスライス面Ｓｙとスライス面Ｓｙ＋１とを考える。そして、これらスライス面Ｓｙ上のマーカ点Ｐｘ及びマーカ点Ｐｘ+1と、スライス面Ｓｙ＋１上のマーカ点Ｐｘ及びマーカ点Ｐｘ+1とで形成される図１３に示す四角形のグリッドＧについて注目する。この際、図１４（Ａ）に示すようにこのグリッドにおける各頂点の角度がほぼ９０°となるようにする。ここで、図１３及び図１４において各スライス面を「Ｓ１，Ｓ２」と表し、各マーカ点を「Ｐi，Ｐi+1」と表す。
【００５７】
さらに、同様にスライス面Ｓｙ上のマーカ点Ｐｘ及びマーカ点Ｐｘ+1と、スライス面Ｓｙ＋１上のマーカ点Ｐｘ及びマーカ点Ｐｘ+1とで形成される図１４（Ｂ）に示す切除後データＤＢの四角形のグリッドＧについても注目する。
【００５８】
以上より、図１２のステップＳ６にて、対応するこれら術前データＤＡに対する切除後データＤＢの歪み量の大きさから断面形状データＴＤを作成する。つまり、切除手術前と再建手術中の同一頂点における角度差の絶対値をそのグリッドＧの歪み指標として、術前データＤＡと切除後データＤＢとの間での同一マーカ点間の歪みの大きさを術前後間変化量とし、この断面形状データＴＤを複数枚集める。そして、歪みである術前後間変化量をこれら断面形状データＴＤ上においてそれぞれ計算して、図８（Ｂ）に示す表と同様に数値として導出する。
【００５９】
ステップＳ７にて縦軸S1〜Sn、横軸1〜kにより構成される複数のグリッドＧの集合体とされるグリッドマップＧＭを作成する。この際、前述と同様にｎ×ｋ個の術前後間変化量が各マス目であるグリッドＧ内に入るように、図６に示すスライス軸Ｓに沿って等間隔に配置した複数の線とスライス軸Ｓに対して直交する軸に沿って等間隔に配置した複数の線との間で区画された複数の領域（グリッドＧ）を有するようにグリッドマップＧＭを作成する。これと共に術前後間変化量とされる歪み量の値に応じてグリッドＧ内に色のグラデーションを割り当てる。
【００６０】
また、ステップＳ８にて縦軸S1〜Sn、横軸1〜kのこのグリッドマップＧＭ上での切除手術前に対する再建手術中における各グリッドの４つの頂点の角度差の平均値に応じて色のグラデーションを割り当てて、各グリッドＧ上に該当の色と角度差の平均値の数字を置き、それぞれ歪み状態を表す差分画像マップＤＭを取得する。
【００６１】
これ以降は、図４のステップＳ９からステップＳ１１までのフローチャートとほぼ同一とする。但しこの際、前述のプロジェクションマッピングを利用する。すなわち、図３に示すように手術現場において乳房形状を計測する３次元計測装置１０、データを投影Ｗするプロジェクタ２２及び、術前データＤＡや切除後データＤＢである再建手術中データの保存とこれらデータの加工処理を行うパソコン１４により、プロジェクションマッピングが行われる。
【００６２】
次に、距離を術前後間変化量の指標としたものと身体形状の歪みを術前後間変化量の指標としたものを同時に使用可能とした場合を以下に再建手術中を例として説明する。
以上のようにして得られた術前データＤＡと切除後データＤＢとの間の寸法変化の大きさや身体形状の歪みの大きさが差分画像マップＤＭとして、例えばパソコン１４により切り替え可能に表される。
【００６３】
これらはいずれも執刀医が再建手術時の参考にするためのものであり、前述のようにパソコン１４の表示部３８に「距離情報」や「歪み情報」を投影Ｗしてもよいし、表示部３８を使わず、患者Ｋの身体表面に「距離情報」や「歪み情報」をプロジェクタ２２により直接投影するプロジェクションマッピングを行ってもよい。
【００６４】
この際、切除手術前と再建手術中に計測した患者Ｋの乳房の３次元形状データから差分画像マップＤＭを作成し、前述のアルゴリズムで導出したグリッドマップＧＭの各グリッドＧ上に、切除手術前と再建手術中との間の「寸法差情報」や「歪み情報」を色として表現することになる。ただし、プロジェクタ２２から差分画像マップＤＭを投影Ｗする場合、ステップＳ１１のように患者Ｋの３次元データをプロジェクタ２２から見た姿勢や位置に見えるように方向や視点を一旦変えて、投影Ｗする。これにより寸法差情報や歪み情報の大きい領域とそうでない領域を患者Ｋの身体表面に色情報として図１１に示すように提示することができる。
【００６５】
尚、上記のような身体マップ作成プログラムだけで無く、このようなソフトウエアを記録した記録媒体であっても良い。記録媒体としてはＣＤ、ＤＶＤ、ＵＳＢメモリー等が考えられるが、これら記録媒体に限定されるものではない。
また、本発明においては、上記のように「距離情報」と「歪み情報」を得る２種類の手法が存在するが、患者特性や移植するインプラントや自家組織の状態など必要に応じてこれらの手法を選択することが考えられる。
【００６６】
以上のように、本発明は乳房の再建手術を例として説明したが、乳房以外の身体部分である例えば、手足、鼻、頬、耳等の顔面部分や胸部、腹部、臀部等の他の身体部分を再建手術の対象としても良い。
【００６７】
以上、本発明に係る実施の形態を説明したが、本発明は係る実施の形態に限定されるものではなく、本発明の趣旨を逸脱しない範囲で種々変形して実施することができる。
【産業上の利用可能性】
【００６８】
本発明は、身体の再建手術の他にさまざまな産業分野に適用可能となる。
【符号の説明】
【００６９】
１０    ３次元計測装置
１２    計測装置本体
１４    パソコン
２２    プロジェクタ（表示装置）
３０    ＣＰＵ（演算装置）
３４    記憶部
３８    表示部（表示装置）
Ｋ    患者
ＭＫ    マーキング（基準点）
ＤＡ    術前データ
ＤＢ    切除後データ
ＴＤ    断面形状データ
ＧＭ    グリッドマップ
ＤＭ    差分画像マップ
ＫＭ    解剖学的マップ
【図１】
0006791482.tif 000002
【図２】
0006791482.tif 000003
【図３】
0006791482.tif 000004
【図４】
0006791482.tif 000005
【図５】
0006791482.tif 000006
【図６】
0006791482.tif 000007
【図７】
0006791482.tif 000008
【図８】
0006791482.tif 000009
【図９】
0006791482.tif 000010
【図１０】
0006791482.tif 000011
【図１１】
0006791482.tif 000012
【図１２】
0006791482.tif 000013
【図１３】
0006791482.tif 000014
【図１４】
0006791482.tif 000015